(57)【要約】【課題】複数の操作項目から任意選択メニューを簡単に設定できる携帯電子機器を提供する。【解決手段】セットアップメニューのメニュー表示切り換えを選択し、マイメニューを選択すると、各操作項目に含まれる複数の操作項目についての表示／非表示選択画面が表示される。表示／非表示選択画面においてマルチセレクターを押下操作して選択用カーソルを上下方向に移動し、操作項目を指定する。マイメニューとして表示させたい操作項目については、マルチセレクターを押下操作して左端の□内に“レ”マークを付け、表示不要な操作項目については、“レ”マークをつけない。セットアップメニューの「メニュー表示切り換え」の操作項目については、常時グレー表示とするとともに、表示／非表示の選択設定ができないことを示すマークを付す。【選択図】図９
2008042475.tif 000002
【特許請求の範囲】
【請求項１】
携帯電子機器に関する各種設定をするための複数の操作項目を記憶する操作項目記憶手段と、
前記操作項目記憶手段に記憶された前記複数の操作項目について、表示／非表示の選択操作を行い、任意選択メニューを構成する操作項目を決定する選択操作部材と、
前記任意選択メニューの表示が設定された場合に、前記選択操作部材によって決定された前記任意選択メニューを構成する操作項目を表示手段に表示させる制御手段とを備え、
前記制御手段は、前記任意選択メニューを構築するための操作項目について、前記選択操作部材による表示／非表示の選択操作を無効として常時表示させることを特徴とする携帯電子機器。
【請求項２】
請求項１に記載の携帯電子機器において、
前記制御手段は、前記任意選択メニューを構築するための操作項目を、他の操作項目とは色調を変えて表示することを特徴とする携帯電子機器。
【請求項３】
請求項２に記載の携帯電子機器において、
前記制御手段は、前記任意選択メニューを構築するための操作項目をグレー表示することを特徴とする携帯電子機器。
【請求項４】
請求項１から請求項３のいずれか１項に記載の携帯電子機器において、
前記制御手段は、前記操作項目記憶手段に記憶された前記複数の操作項目の表示形態として、前記任意選択メニューと、前記複数の操作項目の全部から構成されるフルメニューと、予め固定された基本的な操作項目のみから構成されるシンプルメニューとを有し、前記選択操作部材で決定されたいずれかの表示形態に従って、前記複数の操作項目を前記表示手段に表示させることを特徴とする携帯電子機器。
【請求項５】
請求項１から請求項４のいずれか１項に記載の携帯電子機器において、
前記携帯電子機器は、デジタルカメラであることを特徴とする携帯電子機器。
【請求項６】
請求項５に記載の携帯電子機器において、
前記複数の操作項目はツリー形式で構成され、第１階層として、再生メニュー、撮影メニュー、カスタムメニュー、セットアップメニューおよび画像編集メニューを有し、前記任意選択メニューは、前記セットアップメニューの下層の操作項目であることを特徴とする携帯電子機器。
【請求項７】
携帯電子機器に関する各種設定をするための複数の操作項目を前記携帯電子機器の表示手段に表示させる制御プログラムにおいて、
記憶手段に記憶された前記複数の操作項目について、表示／非表示の選択操作により任意選択メニューを構成する操作項目を決定する処理と、
前記任意選択メニューの表示が設定された場合に、決定された前記任意選択メニューを構成する操作項目を表示手段に表示させる処理と、
前記任意選択メニューを構築するための操作項目について、表示／非表示の選択操作を無効として常時表示させる処理とをコンピュータに実行させることを特徴とする制御プログラム。
【発明の詳細な説明】
【技術分野】
【０００１】
本発明は、携帯電子機器に関する。
【背景技術】
【０００２】
デジタルカメラ等の携帯電子機器において、複数の操作項目の中からユーザが所望する項目を選択してユーザメニュー画面を構築することができるものが知られている（例えば特許文献１参照）。この装置においては、選択した操作項目の表示順位も選択する。
【０００３】
【特許文献１】特開平９−２３８２９１号公報
【発明の開示】
【発明が解決しようとする課題】
【０００４】
しかしながら、操作項目数が多い携帯電子機器の場合には、ユーザメニュー画面に表示させる所望の項目を選択するための操作がわずらわしいという問題があった。
【課題を解決するための手段】
【０００５】
本発明は、携帯電子機器に関する各種設定をするための複数の操作項目を記憶する操作項目記憶手段と、操作項目記憶手段に記憶された複数の操作項目について、表示／非表示の選択操作を行い、任意選択メニューを構成する操作項目を決定する選択操作部材と、任意選択メニューの表示が設定された場合に、選択操作部材によって決定された任意選択メニューを構成する操作項目を表示手段に表示させる制御手段とを備え、制御手段は、任意選択メニューを構築するための操作項目について、選択操作部材による表示／非表示の選択操作を無効として常時表示させる。
制御手段は、任意選択メニューを構築するための操作項目を、他の操作項目とは色調を変えて表示するが好ましい。
制御手段は、任意選択メニューを構築するための操作項目をグレー表示してもよい。
制御手段は、操作項目記憶手段に記憶された複数の操作項目の表示形態として、任意選択メニューと、複数の操作項目の全部から構成されるフルメニューと、予め固定された基本的な操作項目のみから構成されるシンプルメニューとを有し、選択操作部材で決定されたいずれかの表示形態に従って、複数の操作項目を表示手段に表示させてもよい。
携帯電子機器は、デジタルカメラであることが好ましい。
複数の操作項目はツリー形式で構成され、第１階層として、再生メニュー、撮影メニュー、カスタムメニュー、セットアップメニューおよび画像編集メニューを有し、任意選択メニューは、セットアップメニューの下層の操作項目であることが好ましい。
他の発明は、携帯電子機器に関する各種設定をするための複数の操作項目を前記携帯電子機器の表示手段に表示させる制御プログラムにおいて、記憶手段に記憶された複数の操作項目について、表示／非表示の選択操作により任意選択メニューを構成する操作項目を決定する処理と、任意選択メニューの表示が設定された場合に、決定された任意選択メニューを構成する操作項目を表示手段に表示させる処理と、任意選択メニューを構築するための操作項目について、表示／非表示の選択操作を無効として常時表示させる処理とをコンピュータに実行させる。
【発明の効果】
【０００６】
本発明によれば、携帯電子機器においてユーザが好みの任意選択メニューを容易に構築することができる。
【発明を実施するための最良の形態】
【０００７】
以下、図面を参照して本発明の一実施の形態による携帯電子機器を説明する。ここでは、携帯電子機器としてデジタルカメラを例に説明する。図１は、本発明の一実施の形態によるデジタルカメラ１の背面図である。図１に示すようにデジタルカメラ１の背面には、表示装置１１、メニューボタン２１、およびマルチセレクター３０等が設けられている。
【０００８】
表示装置１１は、例えばＴＦＴ液晶などから構成され、デジタルカメラ１によって撮影された画像の表示およびメニュー画面の表示等を行う。メニューボタン２１は、様々な操作項目を選択するためのメニュー画面の表示に用いられる。表示装置１１が消灯しているときにメニューボタン２１が押されると、メニュー画面が表示装置１１に表示される。メニュー画面が表示されているときにメニューボタン２１が押されると、表示装置１１が消灯される。
【０００９】
マルチセレクター３０は、上下左右の押しボタン式方向キーから構成され、選択用カーソルの移動などに用いられる。マルチセレクター３０は、右方向３０ａ、上方向３０ｂ、左方向３０ｃ、および下方向３０ｄに押すことができるような構造を有している。たとえば、マルチセレクター３０が押された方向に応じて、メニュー画面において選択用カーソルが複数の操作項目間を移動する。具体的には、表示装置１１にメニュー画面が表示されているときにマルチセレクター３０の右方向３０ａを押すと、選択用カーソルが指定している操作項目が決定される。決定された操作項目がさらに下層（下位）の操作項目を有する場合には、右方向３０ａの押し下げ操作に応じて下層の操作項目に移行する。
【００１０】
表示装置１１にメニュー画面が表示されているときにマルチセレクター３０の上方向３０ｂを押すと、選択用カーソルが、現在指定している操作項目の上隣の操作項目へ移動する。表示装置１１にメニュー画面が表示されているときにマルチセレクター３０の左方向３０ｃを押すと、現在表示されている操作項目の上層（上位）の操作項目へ移行する。表示装置１１にメニュー画面が表示されているときにマルチセレクター３０の下方向３０ｄを押すと、現在指定している操作項目の下隣の操作項目へ移動する。
【００１１】
マルチセレクター３０は、また、記録されている撮影画像を表示装置１１にサムネイル表示した場合に、選択用カーソルを移動していずれかのサムネイルを選択する場合等にも用いられる。
【００１２】
図２は、一実施の形態によるデジタルカメラ１の構成を示すブロック図である。図２では、メニュー画面の表示に関する構成を主に示している。演算回路１０１は、ＣＰＵから構成され、デジタルカメラ１におけるメニュー画面の表示に関する制御を実行する。なお、演算回路１０１は、デジタルカメラ１における撮影動作等に関する他の各種演算とシーケンス制御も実行可能であるが、ここでは省略する。
【００１３】
演算回路１０１には、スイッチ２０１、およびスイッチ３０１〜３０４からの信号が入力される。スイッチ２０１はメニューボタン２１の押下操作によりオンし、押下操作の解除によりオフする。スイッチ３０１はマルチセレクター３０の右方向３０ａの押下操作によりオンし、右方向３０ａの押下操作の解除によりオフする。スイッチ３０２はマルチセレクター３０の上方向３０ｂの押下操作によりオンし、上方向３０ｂの押下操作の解除によりオフする。スイッチ３０３はマルチセレクター３０の左方向３０ｃの押下操作によりオンし、左方向３０ｃの押下操作の解除によりオフする。スイッチ３０４はマルチセレクター３０の下方向３０ｄの押下操作によりオンし、下方向３０ｄの押下操作の解除によりオフする。演算回路１０１はこれらのスイッチ２０１、３０１〜３０４からの入力信号に基づいて表示装置１１に表示するメニュー画面の制御を行う。
【００１４】
ＲＯＭ１０２には、メニュー画面の表示制御に関する制御プログラムやデジタルカメラ１において設定可能な各種の操作項目が記憶されている。演算回路１０１は、ＲＯＭ１０２に記憶された制御プログラムを読み出してメニュー画面の表示制御を実行するとともに、ＲＯＭ１０２に記憶された操作項目を読み出して表示装置１１に表示させる。メモリ１０３は不揮発性のメモリであり、メニュー画面の表示制御において選択された操作項目を記録するために用いられる。
【００１５】
図３に、デジタルカメラ１において設定可能な各種の操作項目をツリー形式で示す。ここでは、図３に示す第１階層および第２階層の全ての操作項目をまとめてメニュー５００と呼ぶ。メニュー５００は、再生メニュー５０１、撮影メニュー５０２、カスタムメニュー５０３、セットアップメニュー５０４、画像編集メニュー５０５の５つの操作項目から構成される。これらの５つの操作項目は、メニュー５００の第１階層に属する第１メニューである。
【００１６】
これらの５つの第１階層の操作項目は、図３に示すようにそれぞれ複数の操作項目から構成される。第１メニューに含まれる複数の操作項目は、メニュー５００の第２階層に属する第２メニューである。再生メニュー５０１は画像再生時の設定に関する複数の操作項目を有する。撮影メニュー５０２は撮影についての設定に関する複数の操作項目を有する。カスタムメニュー５０３はデジタルカメラ１の各種設定をユーザの好みに合わせるようにカスタマイズするための複数の操作項目を有する。セットアップメニュー５０４はデジタルカメラ１の基本的な設定に関する複数の操作項目を有する。画像編集メニュー５０５は撮影済みの画像に加工や編集を行うための複数の操作項目を有する。なお、図示の都合上、第２階層の複数の操作項目を一部省略する。
【００１７】
具体的には、再生メニュー５０１は、削除、再生フォルダー設定、縦位置自動回転、スライドショー、非表示設定、プリント指定の６つの操作項目から構成される。撮影メニュー５０２は、仕上がり設定、画質モード、画像サイズ、ホワイトバランス、ＩＳＯ感度設定、長秒時ノイズ低減、高感度ノイズ低減、多重露出の８つの操作項目から構成される。
【００１８】
カスタムメニュー５０３は、カスタムのリセット、電子音設定、ＡＦエリアモード設定、中央フォーカスエリアフレーム、内蔵ＡＦ補助光の照射、カード無し時レリーズ、撮影直後の画像確認、感度自動制御、格子線表示、ファインダー内警告表示、露出値ステップ幅、露出補正簡易設定、中央部重点測光、オートブラケティングのセット、ＢＫＴ補正順序、コマンドダイヤル変更、ファンクションボタンの機能、イルミネーター点灯、ＡＥ-Ｌ/ＡＦ-Ｌボタンの機能、フォーカスエリア循環選択、フォーカスエリア照明、内蔵フラッシュ発光、フラッシュ使用推奨表示、フラッシュ時シャッタースピード制限、オートＦＰ撮影、モデリング発光、液晶モニターのパワーオフ、半押しタイマー、セルフタイマー、リモコン待機時間、露出ディレイモード、バッテリーパックの電池設定の３２個の操作項目から構成される。
【００１９】
セットアップメニュー５０４は、メニュー表示切り換え、カードの初期化(フォーマット)、ワールドタイム、液晶モニターの明るさ、ビデオ出力、言語(ＬＡＮＧ)、ＵＳＢ設定、画像コメント、記録フォルダー設定、連番モード、クリーニングミラーアップ、イメージダストオフデータ取得、電池チェック、ファームウェアバージョン、縦位置情報の記録の１５個の操作項目から構成される。画像編集メニュー５０５は、Ｄ-ライティング、赤目補正、トリミング、モノトーン、フィルター効果、スモールピクチャー、画像合成の７つの操作項目から構成される。
【００２０】
第１階層の５つの操作項目、すなわち再生メニュー５０１、撮影メニュー５０２、カスタムメニュー５０３、セットアップメニュー５０４、画像編集メニュー５０５のいずれかが決定されると、決定した操作項目に対応する第２階層の操作項目に移行する。第１階層の操作項目に対応する第２階層の操作項目を表示する際に、表示する操作項目数が異なるシンプルメニュー、フルメニュー、およびマイメニューのいずれかを設定することができる。シンプルメニューが設定されると、操作項目数の多いカスタムメニュー５０３とセットアップメニュー５０４については、第２階層の複数の操作項目のうちの基本的な操作項目のみを表示する。再生メニュー５０１、撮影メニュー５０２、画像編集メニュー５０５については、第２階層の全ての操作項目を表示する。
【００２１】
フルメニューが設定されると、再生メニュー５０１、撮影メニュー５０２、カスタムメニュー５０３、セットアップメニュー５０４、画像編集メニュー５０５について、それぞれ全ての操作項目を表示する。マイメニュー（任意選択メニュー）が設定されると、予め選択設定した操作項目のみを表示する。ただし、後述するようにセットアップメニュー５０４の「メニュー表示切り換え」の操作項目に関しては、マイメニュー用の表示／非表示の選択を不可能とするとともに、表示の色調を変更する。
【００２２】
次に、マイメニューの設定時に表示する操作項目の選択操作の手順について説明する。まず、図３のメニュー５００において第１階層を表示しているときに、マルチセレクター３０の上方向３０ｂまたは下方向３０ｄを押下操作して選択用カーソルを移動し、セットアップメニュー５０４を選択する。そしてマルチセレクター３０の右方向３０ａを押下操作すると、図３に示すセットアップメニュー５０４の第２階層の操作項目が表示される。ここでマルチセレクター３０の上方向３０ｂまたは下方向３０ｄを押下操作し、選択用カーソルを移動して「メニュー表示切り換え」を選択する。
【００２３】
そして、マルチセレクター３０の右方向３０ａを押下操作すると、図４に示すようにセットアップメニュー５０４（第１階層）の「メニュー表示切り換え」（第２階層）に対応する第３階層の操作項目、すなわち「シンプルメニュー」、「フルメニュー」、「マイメニュー」が表示される。ここで、マルチセレクター３０の上方向３０ｂまたは下方向３０ｄを押下操作して選択用カーソルを移動し、「シンプルメニュー」を選択する。そして、マルチセレクター３０の右方向３０ａを押下操作すると、「シンプルメニュー」が設定され、セットアップメニュー５０４の第２階層の複数の操作項目のうち、図５に示すようにシンプルメニューとして設定されている７つの操作項目が表示される。
【００２４】
「フルメニュー」に設定する場合は、図４に示すようにセットアップメニュー５０４（第１階層）の「メニュー表示切り換え」（第２階層）に対応する第３階層の操作項目が表示されているときに、マルチセレクター３０の上方向３０ｂまたは下方向３０ｄを押下操作して選択用カーソルを移動し、「フルメニュー」を選択する。そしてマルチセレクター３０の右方向３０ａを押下操作すると、「フルメニュー」が設定され、セットアップメニュー５０４に対応する第２階層の全ての操作項目が表示される。
【００２５】
「マイメニュー」を設定する場合には、図４に示すようにセットアップメニュー５０４（第１階層）の「メニュー表示切り換え」（第２階層）に対応する第３階層の操作項目が表示されているときに、マルチセレクター３０の上方向３０ｂまたは下方向３０ｄを押下操作して選択用カーソルを移動し、「マイメニュー」を選択する。そして、マルチセレクター３０の右方向３０ａを押下操作すると、図４に示すように「マイメニュー」に対応する第４階層の６つの操作項目、すなわち「設定終了」、「再生」、「撮影」、「カスタム」、「セットアップ」、「画像編集」が表示される。
【００２６】
図４に示す第４階層が表示されているときに、マルチセレクター３０の上方向３０ｂまたは下方向３０ｄを押下操作して選択用カーソルを移動し、「再生」を選択する。そしてマルチセレクター３０の右方向３０ａを押下操作すると、図６に示すように第５階層に移行し、再生メニュー５０１における各操作項目の表示／非表示の選択画面が表示される。表示／非表示選択画面では、再生メニュー５０１の第２階層の６つの操作項目が全て表示される。各操作項目の左端には、表示／非表示を選択してチェックするための□（ボックス）が表示される。
【００２７】
表示／非表示選択画面において、マルチセレクター３０の上方向３０ｂまたは下方向３０ｄを押下操作して選択用カーソルを移動し、表示／非表示を設定したい操作項目を選択する。そしてマルチセレクター３０の右方向３０ａを押下操作すると、選択用カーソルで指定された操作項目の左端の□内に、表示／非表示を表す“レ”マーク（チェックマーク）が表示または表示解除される。マルチセレクター３０の右方向３０ａを押下操作すると“レ”マークが表示され、再び押下操作すると“レ”マークの表示が解除される。□内に“レ”マークがついている場合は、その操作項目の表示が選択されていることを示し、“レ”マークがない場合は、その操作項目の非表示が選択されていることを示す。
【００２８】
このように、再生メニュー５０１の各操作項目について表示／非表示を選択し、“レ”マークの有無を設定した後、マルチセレクター３０の上方向３０ｂまたは下方向３０ｄを押下操作し、選択用カーソルを移動して「選択終了」を選択する。そしてマルチセレクター３０の右方向３０ａを押下操作すると、再生メニュー５０１の第２階層の複数の操作項目について表示／非表示項目が設定される。そして、図４に示す「マイメニュー」の第４階層が表示される。なお、表示／非表示選択画面が最初に表示されるとき、すなわち、以前に再生メニュー５０１について「マイメニュー」の選択設定を行っていなかった場合には、図６に示すように全ての操作項目に “レ”マークが付されて表示項目として設定されている。
【００２９】
撮影メニュー５０２については、図４に示す第４階層が表示されているときに、マルチセレクター３０の上方向３０ｂまたは下方向３０ｄを押下操作して選択用カーソルを移動し、「撮影」を選択する。  そしてマルチセレクター３０の右方向３０ａを押下操作すると、図７に示すように第５階層に移行し、撮影メニュー５０２における各操作項目の表示／非表示の選択画面が表示される。表示／非表示選択画面では、撮影メニュー５０２の第２階層の８つの操作項目が全て表示される。各操作項目の左端には、表示／非表示の選択をチェックするための□（ボックス）が表示される。
【００３０】
図７の表示／非表示選択画面において、マルチセレクター３０の上方向３０ｂまたは下方向３０ｄを押下操作して選択用カーソルを移動し、表示／非表示を設定したい操作項目を選択する。そして、マルチセレクター３０の右方向３０ａを押下操作して、表示させたい操作項目の左端の□内に“レ”マークを付し、表示不要な操作項目の“レ”マークを外す。
【００３１】
このように撮影メニュー５０２の各操作項目について表示／非表示を選択して“レ”マークの有無を設定した後、マルチセレクター３０の上方向３０ｂまたは下方向３０ｄを押下操作して選択用カーソルを移動し、「選択終了」を選択する。そしてマルチセレクター３０の右方向３０ａを押下操作すると、撮影メニュー５０２の第２階層の複数の操作項目について表示／非表示項目が設定される。そして、図４に示す「マイメニュー」の第４階層が表示される。なお、表示／非表示選択画面が最初に表示されるとき、すなわち、以前に撮影メニュー５０２について「マイメニュー」の選択を行っていなかった場合には、図７に示すように全ての操作項目に “レ”マークが付されて表示項目として設定されている。
【００３２】
カスタムメニュー５０３については、図４に示す第４階層が表示されているときに、マルチセレクター３０の上方向３０ｂまたは下方向３０ｄを押下操作して選択用カーソルを移動し、「カスタム」を選択する。  そしてマルチセレクター３０の右方向３０ａを押下操作すると、図８に示すように第５階層に移行し、カスタムメニュー５０３における各操作項目の表示／非表示の選択画面が表示される。表示／非表示選択画面では、カスタムメニュー５０３の第２階層の３２個の操作項目が全て表示される。ただし、操作項目数が多いため、表示装置１１の表示画面に一度に表示しきれない操作項目は、マルチセレクター３０の上方向３０ｂまたは下方向３０ｄの押下操作に応じてスクロール表示するようにする。各操作項目の左端には、表示／非表示の選択をチェックするための□（ボックス）が表示される。
【００３３】
図８の表示／非表示選択画面において、マルチセレクター３０の上方向３０ｂまたは下方向３０ｄを押下操作して選択用カーソルを移動し、表示／非表示を設定したい操作項目を選択する。そして、マルチセレクター３０の右方向３０ａを押下操作して、表示させたい操作項目の左端の□内に“レ”マークを付し、表示不要な操作項目の“レ”マークを外す。このようにカスタムメニュー５０３の各操作項目について表示／非表示を選択して“レ”マークの有無を設定した後、マルチセレクター３０の上方向３０ｂまたは下方向３０ｄを押下操作して選択用カーソルを移動し、「選択終了」を選択する。そしてマルチセレクター３０の右方向３０ａを押下操作すると、カスタムメニュー５０３の第２階層の複数の操作項目について表示／非表示項目が設定される。そして、図４に示す「マイメニュー」の第４階層が表示される。
【００３４】
なお、表示／非表示選択画面が最初に表示されるとき、すなわち、以前にカスタムメニュー５０３について「マイメニュー」の選択を行っていなかった場合には、図８に示すように「カスタムのリセット」、「電子音設定」、「ＡＦエリアモード設定」、「中央フォーカスエリアフレーム」、「内蔵ＡＦ補助光の照射」、「カード無し時レリーズ」、「撮影直後の画像確認」、「感度自動制御」、「格子線表示」、「ファインダー内警告表示」、「露出値ステップ幅」の１１個の操作項目に“レ”マークが付されて表示項目として設定されている。
【００３５】
セットアップメニュー５０４については、図４に示す第４階層が表示されているときに、マルチセレクター３０の上方向３０ｂまたは下方向３０ｄを押下操作して選択用カーソルを移動し、「セットアップカスタム」を選択する。そしてマルチセレクター３０の右方向３０ａを押下操作すると、図９に示すように第５階層に移行し、セットアップメニュー５０４における各操作項目の表示／非表示の選択画面が表示される。表示／非表示選択画面では、セットアップメニュー５０４の第２階層の１５個の操作項目が全て表示される。ただし、操作項目数が多いため、表示装置１１の表示画面に一度に表示しきれない操作項目は、マルチセレクター３０の上方向３０ｂまたは下方向３０ｄの押下操作に応じてスクロール表示するようにする。各操作項目の左端には、表示／非表示の選択をチェックするための□（ボックス）が表示される。
【００３６】
図９の表示／非表示選択画面において、マルチセレクター３０の上方向３０ｂまたは下方向３０ｄを押下操作して選択用カーソルを移動し、表示／非表示を設定したい操作項目を選択する。そして、マルチセレクター３０の右方向３０ａを押下操作して、表示させたい操作項目の左端の□内に“レ”マークを付し、表示不要な操作項目の“レ”マークを外す。このようにセットアップメニュー５０４の各操作項目について表示／非表示を選択して“レ”マークの有無を設定した後、マルチセレクター３０の上方向３０ｂまたは下方向３０ｄを押下操作して選択用カーソルを移動し、「選択終了」を選択する。そしてマルチセレクター３０の右方向３０ａを押下操作すると、セットアップメニュー５０４の第２階層の複数の操作項目について表示／非表示項目が設定される。そして、図４に示す「マイメニュー」の第４階層が表示される。
【００３７】
なお、表示／非表示選択画面が最初に表示されるとき、すなわち、以前にセットアップメニュー５０４について「マイメニュー」の選択を行っていなかった場合には、図９に示すように「カードの初期化」、「ワールドタイム」、「液晶モニターの明るさ」、「ビデオ出力」、「言語（ＬＡＮＧ）」、「ＵＳＢ設定」の６個の操作項目に“レ”マークが付されて表示項目として設定されている。
【００３８】
なお、「メニュー表示切り換え」の左端の□には、常に「＼」を付し、マイメニューの設定時に表示させるか否かについての選択設定が行えないことを明示する。さらに、「メニュー表示切り換え」の欄を常にグレー表示として他の操作項目とは異なる色調で表示する。マルチセレクター３０の上方向３０ｂまたは下方向３０ｄの押下操作により選択用カーソルを「メニュー表示切り換え」上に移動させることはできるが、この操作項目を選択することはできない。これは、「メニュー表示切り換え」の操作項目を非表示にすると、以後メニュー表示について、シンプルメニュー／フルメニュー／マイメニューの切り換えができなくなってしまうためである。したがって、「メニュー表示切り換え」の操作項目は、シンプルメニュー、フルメニュー、およびマイメニューのいずれが設定されたとしても、常に表示されることになる。
【００３９】
画像編集メニュー５０５については、図４に示す第４階層が表示されているときに、マルチセレクター３０の上方向３０ｂまたは下方向３０ｄを押下操作して選択用カーソルを移動し、「画像編集」を選択する。  そしてマルチセレクター３０の右方向３０ａを押下操作すると、図１０に示すように第５階層に移行し、画像編集メニュー５０５における各操作項目の表示／非表示の選択画面が表示される。表示／非表示選択画面では、画像編集メニュー５０５の第２階層の７個の操作項目が全て表示される。各操作項目の左端には、表示／非表示の選択をチェックするための□（ボックス）が表示される。
【００４０】
図１０の表示／非表示選択画面において、マルチセレクター３０の上方向３０ｂまたは下方向３０ｄを押下操作して選択用カーソルを移動し、表示／非表示を設定したい操作項目を選択する。そして、マルチセレクター３０の右方向３０ａを押下操作して、表示させたい操作項目の左端の□内に“レ”マークを付し、表示不要な操作項目の“レ”マークを外す。
【００４１】
このように画像編集メニュー５０５の各操作項目について表示／非表示を選択して“レ”マークの有無を設定した後、マルチセレクター３０の上方向３０ｂまたは下方向３０ｄを押下操作して選択用カーソルを移動し、「選択終了」を選択する。そしてマルチセレクター３０の右方向３０ａを押下操作すると、画像編集メニュー５０５の第２階層の複数の操作項目について表示／非表示項目が設定される。そして、図４に示す「マイメニュー」の第４階層が表示される。なお、表示／非表示選択画面が最初に表示されるとき、すなわち、以前に画像編集メニュー５０５について「マイメニュー」の選択を行っていなかった場合には、図１０に示すように全ての操作項目に “レ”マークが付されて表示項目として設定されている。
【００４２】
以上のようにして再生メニュー５０１、撮影メニュー５０２、カスタムメニュー５０３、セットアップメニュー５０４、および画像編集メニュー５０５のそれぞれに対応する第２階層の各操作項目について表示／非表示を選択する。その後、図４に示す第４階層が表示された状態で、マルチセレクター３０の上方向３０ｂまたは下方向３０ｄを押下操作して選択用カーソルを移動し、「設定終了」を選択する。そして、マルチセレクター３０の右方向３０ａを押下操作すると、図１１に示すように、セットアップメニュー５０４のマイメニューとして設定された操作項目が表示される。
【００４３】
ここでは、セットアップメニュー５０４のマイメニューとして「カードの初期化(フォーマット)」、「ワールドタイム」、「液晶モニターの明るさ」、「ビデオ出力」、「言語（ＬＡＮＧ）」、「ＵＳＢ設定」が設定されているとする。表示装置１１の表示画面には、設定された操作項目とともに、表示／非表示の選択が行えず、必ず表示するように設定された「メニュー表示切り換え」が表示される。
【００４４】
このように、各操作項目についての表示／非表示を選択するために操作項目の左端に□を配置し、表示したい操作項目にはその□内に“レ”マークを付け、表示が不要な操作項目には“レ”マークをつけないようにする。“レ”マークの有無を設定する操作だけで表示／非表示が選択でき、マイメニューの選択操作が簡単である。表示したい操作項目をその表示順まで選んで設定するような複雑な操作は必要ないので、メニュー操作に不慣れなユーザが操作しても戸惑うようなことがない。
【００４５】
次に、一実施の形態によるデジタルカメラ１の演算回路１０１で実行されるメニュー画面の表示制御について、図１２〜図２１のフローチャートを用いて説明する。図１２〜図２１は、それぞれ演算回路１０１で実行されるメニュー画面の表示制御の処理手順を示すフローチャートである。ここではとくに、デジタルカメラ１で実行可能な操作項目のカスタマイズ機能であるマイメニューの選択・設定手順について説明する。
【００４６】
デジタルカメラ１に不図示の電池が装填されると、図１２に示すメニュー画面の表示制御に関する制御プログラムがスタートする。ステップＳ１では、スイッチ２０１のオン、オフ信号により、メニューボタン２１が押下操作されたか否かを判定する。メニューボタン２１が押下操作されたと判定されるとステップＳ２へ進み、押下操作されていないと判定されとステップＳ１の処理を繰り返す。ステップＳ２では、メニュー処理を行う。メニュー処理の詳細について、図１３〜図２１のフローチャートを用いて説明する。
【００４７】
まず、図１３のステップＳ１１では、表示装置１１の表示画面にメニュー画面を表示する。具体的には、メニューの第１階層、すなわち「再生メニュー」、「撮影メニュー」、「カスタムメニュー」、「セットアップメニュー」および「画像編集メニュー」を表示する。ステップＳ１２では、スイッチ２０１のオン、オフ信号によりメニューボタン２１が押下操作されたか否かを判定する。メニューボタン２１が押下操作されたと判定されるとＳ１８へ進み、押下操作なしと判定されるとステップＳ１３へ進む。
【００４８】
ステップＳ１３では、スイッチ３０２、３０４のオン、オフ信号によりマルチセレクター３０の上方向３０ｂもしくは下方向３０ｄが押下操作されたか否かを判定する。上方向３０ｂまたは下方向３０ｄが押されたと判定するとステップＳ１４へ進み、押し下げ操作なしと判定されるとステップＳ１５へ進む。ステップＳ１４では、上下方向項目移動処理を行い、選択用カーソルを上下に移動する。選択用カーソルとしては、例えば選択した操作項目を周囲よりも明るく表示するハイライト部分として表示する。
【００４９】
ステップＳ１５では、スイッチ２０１のオン、オフ信号によりメニューボタン２１が押下操作されたか否かを判定する。メニューボタン２１が押下操作されたと判定されるとステップＳ１８へ進み、押下操作なしと判定されるとステップＳ１６へ進む。ステップＳ１８では、表示装置１０１に表示していたメニュー画面を消灯し、表示装置１０１の表示画面自体を消灯する。ステップＳ１６では、スイッチ３０１のオン、オフ信号によりマルチセレクター３０の右方向３０ａが押下されたか否かを判定する。右方向３０ａが押されたと判定するとステップＳ１７へ進み、押下操作されていない場合はステップＳ１２へ戻る。ステップＳ１７では、第２階層処理を行う。第２階層処理の詳細を、図１４〜図２１のフローチャートを用いて説明する。
【００５０】
図１４のステップＳ２１では、表示装置１１の表示画面に図１３のメニュー処理で設定された操作項目の第２階層を表示する。なお、初期設定はセットアップメニューが表示されるように設定されている。ステップＳ２２では、再生メニューの第２階層の操作項目が表示されているか否かを判定する。再生メニューの各操作項目が表示されている場合はステップＳ２３へ進み、そうでない場合は図１５のステップＳ３１へ進む。
【００５１】
ステップＳ２３では、スイッチ３０１、３０２、３０４のオン、オフ信号によりマルチセレクター３０の右方向３０ａ、上方向３０ｂ、または下方向３０ｄが押下操作されたか否かを判定する。右方向３０ａまたは上方向３０ｂまたは下方向３０ｄが押されたと判定されるとステップＳ２４へ進み、そうでないと判定するとＳ２５へ進む。ステップＳ２４では、再生メニュー処理を行う。具体的には、再生メニューの第２階層の操作項目の上下方向項目移動処理や、選択した操作項目の下層の操作項目の表示処理等を行う。
【００５２】
ステップＳ２５では、スイッチ２０１のオン、オフ信号によりメニューボタン２１が押下操作されたか否かを判定する。メニューボタン２１が押下操作された判定されると図１３のステップＳ１１へ戻り、押下操作でないと判定されるとステップＳ２６へ進む。ステップＳ２６では、スイッチ３０３のオン、オフ信号によりマルチセレクター３０の左方向３０ｃが押下操作されたか否かを判定する。左方向３０ｃが押されたと判定されると図１３のステップＳ１１へ戻り、そうでないと判定されるとステップＳ２３へ戻る。
【００５３】
つづく図１５のステップＳ３１では、撮影メニューの第２階層の操作項目が表示されているか否かを判定する。撮影メニューの各操作項目が表示されている場合はステップＳ３２へ進み、そうでない場合は図１６のステップＳ４１へ進む。ステップＳ３２では、スイッチ３０１、３０２、３０４のオン、オフ信号によりマルチセレクター３０の右方向３０ａ、上方向３０ｂ、または下方向３０ｄが押下操作されたか否かを判定する。右方向３０ａまたは上方向３０ｂまたは下方向３０ｄが押されたと判定されるとステップＳ３３へ進み、そうでないと判定されるとステップＳ３４へ進む。
【００５４】
ステップＳ３３では撮影メニュー処理を行う。具体的には、撮影メニューの第２階層の操作項目の上下方向項目移動処理や、選択した操作項目の下層の操作項目の表示処理等を行う。ステップＳ３４では、スイッチ２０１のオン、オフ信号によりメニューボタン２１が押下操作されたか否かを判定する。押下操作されたと判定されると図１３のステップＳ１１へ戻り、押下操作でないと判定されるとステップＳ３５へ進む。ステップＳ３５では、スイッチ３０３のオン、オフ信号によりマルチセレクター３０の左方向３０ｃが押下操作されたか否かを判定する。左方向３０ｃが押されたと判定されると図１３のステップＳ１１へ戻り、そうでないと判定されるとステップＳ３２へ戻る。
【００５５】
図１６のステップＳ４１では、カスタムメニューの第２階層の操作項目が表示されているか否かを判定する。カスタムメニューの各操作項目が表示されている場合はステップＳ４２へ進み、そうでない場合は図１７のステップＳ５１へ進む。ステップＳ４２では、スイッチ３０１、３０２、３０４のオン、オフ信号によりマルチセレクター３０の右方向３０ａ、上方向３０ｂ、または下方向３０ｄが押下操作されたか否かを判定する。右方向３０ａまたは上方向３０ｂまたは下方向３０ｄが押されたと判定されるとステップＳ４３へ進み、そうでないと判定されるとステップＳ４４へ進む。
【００５６】
ステップＳ４３ではカスタムメニュー処理を行う。具体的には、カスタムメニューの第２階層の操作項目の上下方向項目移動処理や、選択した操作項目の下層の操作項目の表示処理等を行う。ステップＳ４４では、スイッチ２０１のオン、オフ信号によりメニューボタン２１が押下操作されたか否かを判定する。押下操作されたと判定されると図１３のステップＳ１１へ戻り、押下操作でないと判定されるとステップＳ４５へ進む。ステップＳ４５では、スイッチ３０３のオン、オフ信号によりマルチセレクター３０の左方向３０ｃが押下されたか否かを判定する。左方向３０ｃが押されたと判定されると図１３のステップＳ１１へ戻り、そうでないと判定されるとステップＳ４２へ戻る。
【００５７】
図１７のステップＳ５１では、セットアップメニューの第２階層の操作項目が表示されているか否かを判定する。セットアップメニューの各操作項目が表示されている場合はステップＳ５２へ進み、そうでない場合は画像編集メニューが選択されていると判断して図１８のステップＳ６１へ進む。
【００５８】
ステップＳ５２では、スイッチ３０２、３０４のオン、オフ信号によりマルチセレクター３０の上方向３０ｂ、または下方向３０ｄが押下操作されたか否かを判定する。上方向３０ｂまたは下方向３０ｄが押されたと判定されるとステップＳ５３へ進み、そうでないと判定されるとステップＳ５４へ進む。ステップＳ５３では、上下方向項目移動処理を行い、選択した操作項目を示す選択用カーソルとしてハイライト部分を上下に移動する。
【００５９】
ステップＳ５４では、スイッチ２０１のオン、オフ信号によりメニューボタン２１が押下操作されたか否かを判定する。押下操作されたと判定されると図１３のステップＳ１１へ戻り、押下操作でないと判定されるとステップＳ５５へ進む。ステップＳ５５では、スイッチ３０３のオン、オフ信号によりマルチセレクター３０の左方向３０ｃが押下操作されたか否かを判定する。左方向３０ｃが押されたと判定されると図１３のステップＳ１１へ戻り、そうでないと判定されるとステップＳ５６へ進む。
【００６０】
ステップＳ５６では、選択用カーソルが「メニューの表示切り換え」を指定しているか否かを判定する。「メニューの表示切り換え」が指定されている場合はステップＳ５９へ進み、そうでない場合はステップＳ５７へ進む。ステップＳ５７では、スイッチ３０１のオン、オフ信号によりマルチセレクター３０の右方向３０ａが押下操作されたか否かを判定する。右方向３０ａが押されたと判定されるとステップＳ５８へ進み、そうでないと判定するとステップＳ５２へ戻る。ステップＳ５８では、セットアップメニュー処理を行い、その後、ステップＳ５２へ戻る。セットアップメニュー処理としては、具体的には、セットアップメニューの第２階層の操作項目の上下方向項目移動処理や、選択した操作項目の下層の操作項目の表示処理等を行う。
【００６１】
ステップＳ５９では、スイッチ３０１のオン、オフ信号によりマルチセレクター３０の右方向３０ａが押下操作されたか否かを判定する。右方向３０ａが押されたと判定されると図１９のステップＳ７１へ進み、そうでないと判定されるとステップＳ５２へ戻る。
【００６２】
図１８のステップＳ６１では、スイッチ３０１、３０２、３０４のオン、オフ信号によりマルチセレクター３０の右方向３０ａ、上方向３０ｂ、または下方向３０ｄが押下操作されたか否かを判定する。右方向３０ａまたは上方向３０ｂまたは下方向３０ｄが押されたと判定されるとステップＳ６２へ進み、そうでないと判定するとステップＳ６３へ進む。ステップＳ６２では、画像編集メニュー処理を行う。具体的には、画像編集メニューの第２階層の操作項目の上下方向項目移動処理や、選択した操作項目の下層の操作項目の表示処理等を行う。
【００６３】
ステップＳ６３では、スイッチ２０１のオン、オフ入力によりメニューボタン２１が押下操作されたか否かを判定する。押下操作されたと判定されると図１３のステップＳ１１へ戻り、押下操作でないと判定されるとステップＳ６４へ進む。ステップＳ６４では、スイッチ３０３のオン、オフ信号によりマルチセレクター３０の左方向３０ｃが押下操作されたか否かを判定する。左方向３０ｃが押されたと判定されると図１３のステップＳ１１へ戻り、そうでないと判定されるとステップＳ６１へ戻る。
【００６４】
図１９のステップＳ７１では、表示装置１１の表示画面に、セットアップメニューの第３階層の表示を行う。具体的には、図４に示すようにメニュー表示切り換え（第２階層）に対応する第３階層、すなわち「シンプルメニュー」、「フルメニュー」、「マイメニュー」を表示する。ステップＳ７２では、スイッチ３０２、３０４のオン、オフ信号によりマルチセレクター３０の上方向３０ｂ、または下方向３０ｄが押下操作されたか否かを判定する。上方向３０ｂまたは下方向３０ｄが押されたと判定されるとステップＳ７３へ進み、そうでないと判定されるとステップＳ７４へ進む。
【００６５】
ステップＳ７３では、上下方向項目移動処理を行い、選択項目を示す選択用カーソルとしてハイライト部分を上下に移動する。ステップＳ７４では、スイッチ２０１のオン、オフ信号によりメニューボタン２１が押下操作されたか否かを判定する。押下操作されたと判定されると図１３のステップＳ１１へ戻り、押下操作でないと判定されるとステップＳ７５へ進む。ステップＳ７５では、スイッチ３０３のオン、オフ信号によりマルチセレクター３０の左方向３０ｃが押下操作されたか否かを判定する。左方向３０ｃが押されたと判定されるとステップＳ８２へ進み、そうでないと判定されるとステップＳ７６へ進む。
【００６６】
ステップＳ７６では、選択項目を示す選択用カーソルが「シンプルメニュー」を指定しているか否かを判定する。「シンプルメニュー」が指定されている場合はステップＳ７７へ進み、そうでない場合はステップＳ７９へ進む。ステップＳ７７では、スイッチ３０１のオン、オフ信号によりマルチセレクター３０の右方向３０ａが押下操作されたか否かを判定する。右方向３０ａが押されたと判定されるとステップＳ７８へ進み、そうでないと判定するとステップＳ７２へ戻る。ステップＳ７８では、再生メニュー、撮影メニュー、カスタムメニュー、セットアップメニュー、および画像編集メニューの各メニューにおけるシンプルメニューとして、あらかじめ決められた表示項目をセットしてステップＳ８２へ進む。なお、シンプルメニューとしては、基本的な操作項目のみをセットして、表示する操作項目数を各メニューの全操作項目以下に制限する。
【００６７】
ステップＳ７９では、選択項目を示す選択用カーソルが「フルメニュー」を指定しているか否かを判定する。「フルメニュー」が指定されている場合はステップＳ８０へ進む。そうでない場合はシンプルメニューでもフルメニューでもないので、マイメニューである        と判断し、図２０のステップＳ９１へ進む。ステップＳ８０では、スイッチ３０１のオン、オフ信号によりマルチセレクター３０の右方向３０ａが押下操作されたか否かを判定する。右方向３０ａが押されたと判定されるとステップＳ８１へ進み、そうでないと判定されるとステップＳ７２へ戻る。
【００６８】
ステップＳ８１では、再生メニュー、撮影メニュー、カスタムメニュー、セットアップメニュー、および画像編集メニューの各メニューにおける全ての操作項目を表示項目としてセットし、ステップＳ８２へ進む。ステップＳ８２では、表示装置１１の表示画面にセットアップメニューの第２階層を表示して図１７のステップＳ５２へ戻る。なお、このとき、選択項目を示す選択用カーソルはセットアップメニューの第２階層の各操作項目のうち、「メニュー表示切り換え」を指定した状態で表示される。
【００６９】
図２０のステップＳ９１では、スイッチ３０１のオン、オフ信号によりマルチセレクター３０の右方向３０ａが押下操作されたか否かを判定する。右方向３０ａが押されたと判定されるとステップＳ９２へ進み、そうでないと判定されるとステップＳ７２へ戻る。ステップＳ９２では、表示装置１１の表示画面にセットアップメニューの第４階層の操作項目を表示し、ステップＳ９３へ進む。具体的には、図４に示すようにメニュー表示切り換えのマイメニュー（第３階層）に対応する第４階層の「設定終了」「再生」「撮影］「カスタム」「セットアップ」および「画像編集」の各操作項目を表示する。
【００７０】
ステップＳ９３では、スイッチ３０２、３０４のオン、オフ信号によりマルチセレクター３０の上方向３０ｂ、または下方向３０ｄが押下操作されたか否かを判定する。上方向３０ｂまたは下方向３０ｄが押されたと判定されるとステップＳ９４へ進み、そうでないと判定されるとステップＳ９５へ進む。ステップＳ９４では、上下方向項目移動処理を行い、選択項目を示す選択用カーソルとしてハイライト部分を上下に移動する。
【００７１】
ステップＳ９５では、スイッチ２０１のオン、オフ信号によりメニューボタン２１が押下操作されたか否かを判定する。押下操作されたと判定すると図１３のステップＳ１１へ戻り、押下操作でないと判定されるとステップＳ９６へ進む。ステップＳ９６では、スイッチＳ３０３のオン、オフ信号によりマルチセレクター３０の左方向３０ｃが押下操作さ  れたか否かを判定する。左方向３０ｃが押されたと判定されると図１９のステップＳ７１へ戻り、そうでないと判定されるとステップＳ９７へ進む。
【００７２】
ステップＳ９７では、図４に示すセットアップメニューの第４階層の表示において、選択用カーソルが「設定終了」を指定しているか否かを判定する。「設定終了」が指定されている場合はステップＳ１０１へ進み、そうでない場合はステップＳ９８へ進む。ステップＳ９８では、図４に示すセットアップメニューの第４階層の表示において、選択用カーソルが「セットアップ」を指定しているか否かを判定する。「セットアップ」が指定されている場合は、図２１のステップＳ１１１へ進み、そうでない場合はステップＳ９９へ進む。
【００７３】
ステップＳ９９では、スイッチ３０１のオン、オフ信号によりマルチセレクター３０の右方向３０ａが押下操作されたか否かを判定する。右方向３０ａが押されたと判定されるとステップＳ１００へ進み、そうでないと判定されるとステップＳ９３へ戻る。ステップＳ１００では、マイメニュー処理を行う。すなわち、図６〜図８、および図１０に示す再生メニュー、撮影メニュー、カスタムメニュー、および画像編集メニューの各操作項目が表示モニタに表示された表示／非表示選択画面において、マルチセレクター３０を操作して各操作項目について表示／非表示の選択設定を行う。
【００７４】
具体的には、マルチセレクター３０の上方向３０ｂまたは下方向３０ｄを押下操作して操作項目を選択し、マルチセレクター３０の右方向３０ａを押下操作して、マイメニューとして表示させたい操作項目については左端の□内に“レ”マークを付し、表示不要な操作項目の左端の□内の“レ”マークを外す。このように、各操作項目について“レ”マークを付けたり外したりすることで、各操作項目における操作項目の表示／非表示を選択設定することができる。ステップ１００でマイメニュー処理を行った後、ステップＳ９３へ戻る。
【００７５】
ステップＳ１０１では、スイッチ３０１のオン、オフ信号によりマルチセレクター３０の右方向３０ａが押下操作されたか否かを判定する。右方向３０ａが押されたと判定されると、マイメニュー処理により再生メニュー、撮影メニュー、カスタムメニュー、セットアップメニュー、および画像編集メニューの各操作項目ごとに表示／非表示項目の設定は終了したと判断してステップＳ１０２へ進み、そうでないと判定されるとステップＳ９３へ戻る。ステップＳ１０２では、表示装置１１の表示画面に、例えば図１１に示すようにマイメニュー処理の結果を反映したセットアップメニューの第２階層の操作項目を表示する。その後、図１７のステップＳ５１へ戻る。
【００７６】
図２１のステップＳ１１１では、スイッチ３０１のオン、オフ信号によりマルチセレクター３０の右方向３０ａが押下操作されたか否かを判定する。右方向３０ａが押されたと判定されるとステップＳ１１２へ進み、そうでないと判定されると図２０のステップＳ９３へ戻る。ステップＳ１１２では、表示装置１１の表示画面に、図９に示すセットアップメニューの第５階層の表示／非表示選択画面の表示を行い、ステップＳＳ１１４へ進む。
【００７７】
なお、上述したように図９の表示／非表示選択画面において「メニュー表示切り換え」については、非表示にすると以後メニュー表示をシンプルメニュー／フルメニュー／マイメニューに切り換えることができなくなってしまうため、□内に「＼」を表示する。さらに、「メニュー表示切り換え」の欄を常時、グレー表示として他の操作項目とは色調を変え、表示／非表示の選択・設定ができないことを明示する。
【００７８】
ステップＳ１１３では、スイッチ３０２、３０４のオン、オフ信号によりマルチセレクター３０の上方向３０ｂまたは下方向３０ｄが押下操作されたか否かを判定する。上方向３０ｂまたは下方向３０ｄが押されたと判定されるとステップＳ１１４へ進み、そうでないと判定されるとステップＳ１１５へ進む。ステップＳ１１４では、上下方向項目移動処理を行い、選択項目を示す選択カーソルとしてハイライト部分を上下に移動する。
【００７９】
ステップＳ１１５では、スイッチ２０１のオン、オフ信号によりメニューボタン２１が押下操作されたか否かを判定する。押下操作されたと判定されると図１３のステップＳ１１へ戻り、押下操作でないと判定されるとステップＳ１１６へ進む。ステップＳ１１６では、スイッチ３０３のオン、オフ信号によりマルチセレクター３０の左方向３０ｃが押下操作されたか否かを判定する。左方向３０ｃが押されたと判定されると図２０のステップＳ９２へ戻り、そうでないと判定されるとステップＳ１１７へ進む。
【００８０】
ステップＳ１１７では、図９に示すセットアップメニューの第５階層の表示／非表示選択画面の表示において、選択項目を示す選択用カーソルが「メニュー表示切り換え」を指定しているか否かを判定する。「メニュー表示切り換え」が指定されている場合はステップＳ１１３へ戻り、そうでない場合はステップＳ１１８へ進む。ここで、選択項目を示す選択用カーソルが「メニュー表示切り換え」を指定している場合にステップＳ１１３へ戻るのは、後述するステップＳ１２２の処理において「メニュー表示切り換え」を非表示に設定できないようにする、すなわち常に表示するように設定するためである。
【００８１】
ステップＳ１１８では、図９に示すセットアップメニューの第５階層の表示／非表示選択画面の表示において、選択項目を示す選択用カーソルが「選択終了」を指定しているか否かを判定する。「選択終了」が指定されている場合はステップＳ１１９へ進み、そうでない場合はステップＳ１２１へ進む。
【００８２】
ステップＳ１１９では、スイッチ３０１のオン、オフ信号によりマルチセレクター３０の右方向３０ａが押下操作されたか否かを判定する。右方向３０ａが押されたと判定されると、図９に示すセットアップメニューにおける第５階層の表示／非表示選択画面における各操作項目の表示／非表示の選択が終了したと判断してステップＳ１２０へ進み、そうでないと判定されるとステップＳ１１３へ戻る。ステップＳ１２０では、図９に示すセットアップメニューにおける第５階層の表示／非表示選択画面において設定した各操作項目の表示／非表示の設定内容を表示情報として設定し、図２０のステップＳ９２へ戻る。
【００８３】
ステップＳ１２１では、スイッチ３０１のオン、オフ信号によりマルチセレクター３０の右方向３０ａが押下操作されたか否かを判定する。右方向３０ａが押されたと判定されるとステップＳ１２２へ進み、そうでないと判定されるとステップＳ１１３へ戻る。ステップＳ１２２では、表示／非表示選択変更処理を行う。具体的には、選択項目を示す選択用カーソルが指定している操作項目の左端の□内に“レ”マークがある場合には、“レ”マークを消灯し、□内に”レ”マークがない場合には“レ”マークを点灯する。その後、ステップＳ１１３へ戻る。
【００８４】
以上説明したように、デジタルカメラ１の演算回路１０１においてメニュー画面の表示制御処理を繰り返し実行する。なお、マイメニューとして選択設定された操作項目は、操作項目に対応付けて不揮発性メモリ１０３に記録される。そして、該記録後の処理において選択された操作項目についてマイメニューを表示するときに、選択設定された操作項目をメモリ１０３から読み出して表示装置１１の表示画面に表示する。なお、メモリ１０３を設けずに、記憶された全操作項目のうち、マイメニューとして選択設定された操作項目についてフラグを立て、マイメニューが設定された場合にフラグを立てた操作項目のみを読み出すようにメモリ１０２を構成することも可能である。
【００８５】
以上詳細に説明したように、再生メニュー、撮影メニュー、カスタムメニュー、セットアップメニュー、画像編集メニューの各操作項目に含まれる操作項目のそれぞれについて表示／非表示を選択する。選択処理後に、図４に示す第４階層が表示されているときにマルチセレクター３０の上方向３０ｂまたは下方向３０ｄを押下操作して「設定終了」を選択し、マルチセレクター３０の右方向３０ａを押下操作すると、図１１に示すようにセットアップメニューの第２階層の操作項目が表示される。なお、このときセットアップメニューの各操作項目の表示／非表示の選択結果が反映されて表示される。
【００８６】
そして、セットアップメニューの第２階層のメニュー表示切り換えの第３階層のマイメニューを設定すると、各操作項目において、上述したように選択した操作項目、すなわち表示／非表示選択画面の□内に“レ”マークを付けた操作項目のみが表示される。ただし、「メニュー表示切り換え」の操作項目については、非表示に設定すると以後メニュー表示をシンプルメニュー／フルメニュー／マイメニューに切り換えることができなくなってしまうため、表示／非表示選択画面の□内に「＼」を表示するとともに、常時グレー表示とする。このように、「メニュー表示切り換え」については□内に「＼」を表示するとともに他の操作項目とは色調を変えることにより、表示／非表示の選択・設定ができないことを明示するように構成している。
【００８７】
各操作項目の表示／非表示選択画面において、表示／非表示を選択できる操作項目の左端に□を配置し、表示したい操作項目にはその□内に“レ”マークを付け、表示が不要な操作項目には“レ”マークをつけないように操作するだけで、マイメニュー用の表示／非表示が選択でき、操作が簡単である。
【００８８】
以上説明した一実施の形態においては、携帯電子機器としてデジタルカメラを例にあげて説明したが、これには限定されない。例えば、携帯電子機器として携帯電話、ＰＤＡ，フォトストレージャ等、表示装置を有する他の携帯電子機器にも本発明を適用することができる。一般的に、これらの携帯電子機器は多機能であり多数の操作項目を有しているが、コンパクトに構成されているため、メニュー画面を表示する表示装置のサイズが小さい。そこで、ユーザが好みの操作項目を選択して任意選択メニューを構築し、ユーザが表示させたい操作項目のみを任意選択メニューの表示において表示させることにより、使い勝手のよい携帯電子機器を実現することができる。
【００８９】
表示／非表示選択画面の表示形態は、上述した一実施の形態には限定されない。例えば、各操作項目の左端に□（チェックボックス）を配置し、“レ”マークをつけたり外したりすることで表示／非表示を選択するようにしたが、チェックボックスを各操作項目の右端に配置してもよい。また、“レ”マーク以外のマークを付すようにしてもよい。また、表示／非表示選択画面において「メニュー表示切り換え」をグレー表示するとして説明したが、この操作項目が選択できないことを明示できれば、グレー表示以外の表示形態を採用できることはもちろんである。
【００９０】
上述した一実施の形態においては、複数の操作項目の表示形態として、マイメニュー、フルメニュー、シンプルメニューのいずれかを選択できるように構成したが、少なくともマイメニューによる表示を設定できるように構成すればよい。また、複数の操作項目をツリー形式で構成したが、これには限定されない。上述した複数の操作項目は一例であり、本発明が適用される携帯電子機器の仕様が機能に応じて適宜、追加、削除、変更が可能である。
【００９１】
以上説明した一実施の形態において、ＲＯＭ１０２が操作項目記憶手段として機能し、マルチセレクター３０が選択操作部材として機能し、演算回路１０１が制御手段として機能することができる。なお、以上の説明はあくまで一例であり、発明を解釈する際、上記の実施形態の記載事項と特許請求の範囲の記載事項の対応関係になんら限定も拘束もされない。
【図面の簡単な説明】
【００９２】
【図１】本発明の一実施の形態によるデジタルカメラの背面図。
【図２】一実施の形態によるデジタルカメラのメニュー画面の表示に関する構成を示すブロック図。
【図３】デジタルカメラにおいて設定可能な操作項目をツリー形式で示した図。
【図４】セットアップメニューの第２階層、第３階層、および第４階層の一例を示す図。
【図５】シンプルメニューが設定された場合のセットアップメニューの表示操作項目の一例を示す図。
【図６】再生メニューの表示／非表示画面の表示内容の一例を示す図。
【図７】撮影メニューの表示／非表示画面の表示内容の一例を示す図。
【図８】カスタムメニューの表示／非表示画面の表示内容の一例を示す図。
【図９】セットアップメニューの表示／非表示画面の表示内容の一例を示す図。
【図１０】画像編集メニューの表示／非表示画面の表示内容の一例を示す図。
【図１１】マイメニューが設定された場合のセットアップメニューの操作項目の表示例を示す図。
【図１２】一実施の形態による演算回路で実行されるメニュー画面の表示制御の制御プログラムを示すフローチャート。
【図１３】メニュー処理の処理手順を示すフローチャート。
【図１４】第２階層処理の処理手順を示すフローチャート。
【図１５】図１４に続く第２階層処理の処理手順を示すフローチャート。
【図１６】図１５に続く第２階層処理の処理手順を示すフローチャート。
【図１７】図１６に続く第２階層処理の処理手順を示すフローチャート。
【図１８】図１７に続く第２階層処理の処理手順を示すフローチャート。
【図１９】図１７に続く第２階層処理の処理手順を示すフローチャート。
【図２０】図１９に続く第２階層処理の処理手順を示すフローチャート。
【図２１】図２０に続く第２階層処理の処理手順を示すフローチャート。
【符号の説明】
【００９３】
１：デジタルカメラ、１１：表示装置、２１：メニューボタン、３０：マルチセレクター、１０１：演算回路、１０２：ＲＯＭ、１０３：メモリ、２０１、３０１〜３０４：スイッチ
【図１】
2008042475.tif 000003
【図２】
2008042475.tif 000004
【図３】
2008042475.tif 000005
【図４】
2008042475.tif 000006
【図５】
2008042475.tif 000007
【図６】
2008042475.tif 000008
【図７】
2008042475.tif 000009
【図８】
2008042475.tif 000010
【図９】
2008042475.tif 000011
【図１０】
2008042475.tif 000012
【図１１】
2008042475.tif 000013
【図１２】
2008042475.tif 000014
【図１３】
2008042475.tif 000015
【図１４】
2008042475.tif 000016
【図１５】
2008042475.tif 000017
【図１６】
2008042475.tif 000018
【図１７】
2008042475.tif 000019
【図１８】
2008042475.tif 000020
【図１９】
2008042475.tif 000021
【図２０】
2008042475.tif 000022
【図２１】
2008042475.tif 000023